(57)【要約】【課題】データの記録後、そのデータに対応する識別情報の記録ができなかった場合にまで、コピー許可回数が減少することを防止できる記録管理装置および記録回数回復システム並びに記録回数回復方法を提供する。【解決手段】ＰＣ４０は、コピー許可回数が予め所定回数に制限された音楽データを記録装置３０に送信するデータ送受信部４１と、データの記録装置３０への送信完了ごとにコピー許可回数を更新して記憶する情報記憶部４２と、情報記憶部４２に記憶されているコピー許可回数が、送信完了ごとに１減るよう情報記憶部４２を制御すると共に、記録装置３０が音楽データをデータに記録した後、識別情報をＵＴＯＣエリアに記録できなかった場合に、情報記憶部４２に記憶されているコピー許可回数が１増えるよう情報記憶部４２を制御するコピー許可回数制御部４３を備える。【選択図】  図１
2004246996.tif 000002
【特許請求の範囲】
【請求項１】
記録許可される許可回数が予め所定回数に制限されたデータを記録装置に送信する送信手段と、上記データの上記記録装置への送信完了ごとに更新される上記許可回数を記憶する記憶手段と、上記記憶手段に記憶されている上記許可回数が、上記送信完了ごとに１減るよう上記記憶手段を制御する減算手段とを備え、上記許可回数を管理する記録管理装置において、
上記記録装置が、上記データを記録媒体に記録した後、上記データおよび記録媒体に関する識別情報を上記記録媒体に記録できなかった場合に、上記記憶手段に記憶されている上記許可回数が１増えるよう上記記憶手段を制御する増加手段を備えることを特徴とする記録管理装置。
【請求項２】
上記許可回数が予め所定回数に制限されたデータを、外部データ記憶装置からネットワークを介して受信する受信手段を備えることを特徴とする請求項１に記載の記録管理装置。
【請求項３】
記録媒体に、データと、該データおよび上記記録媒体に関する識別情報とを記録する記録装置と、
請求項１または２に記載の記録管理装置とを備えることを特徴とする記録回数回復システム。
【請求項４】
上記識別情報は、記録媒体のＵＴＯＣ領域に記録される情報であることを特徴とする請求項３に記載の記録回数回復システム。
【請求項５】
上記記録装置は、上記識別情報が上記記録媒体に記録できなかった場合に、記憶されている上記許可回数を１増加させるよう上記記録管理装置に指示する回復指示手段を備えることを特徴とする請求項３に記載の記録回数回復システム。
【請求項６】
上記記録装置は、上記記録管理装置への上記指示の前に、上記識別情報を装置内から消去することを特徴とする請求項５に記載の記録回数回復システム。
【請求項７】
記録許可される許可回数が予め所定回数に制限されたデータを記録装置に送信すると共に、送信完了後に上記許可回数を減算して更新した後、
上記記録装置が記録媒体に上記データを記録した後、該データおよび記録媒体に関する識別情報を上記記録媒体に記録できなかった場合には、上記更新した上記許可回数を回復させることを特徴とする記録回数回復方法。
【請求項８】
上記許可回数を回復させる前に、上記識別情報を上記記録装置から消去することを特徴とする請求項７に記載の記録回数回復方法。
【発明の詳細な説明】
【０００１】
【発明の属する技術分野】
本発明は、許可されるコピー回数が制限された情報を記録媒体に記録する場合のコピー回数を管理する記録管理装置および記録回数回復システム並びに記録回数回復方法に関するものである。
【０００２】
【従来の技術】
音楽データ等のデータを、他の記録媒体にコピーすることは、著作権の保護の観点から、コピーする回数等が制限されることがある。
【０００３】
このように、制限されたデータのコピーを違法にコピーすることを防止する方法としては、例えば、暗号化された音楽データ等のデータ（暗号化コンテンツデータ）の鍵情報を、記録ごとに固有の記録ＩＤによる鍵を用いて暗号化し、さらに、ディスクごとのディスクＩＤを用いて暗号化して、ディスクに記録する方法がある（例えば、特許文献１参照）。
【０００４】
ところで、許可されるコピー回数（コピー許可回数）が制限されたデータを、記録装置において記録媒体に記録する場合、記録完了後は、コピー許可回数が１減るようにコピー許可回数を管理しなければならない。
【０００５】
例えば、ＰＣ（パーソナルコンピュータ）から転送されてきたコピー許可回数の制限されたデータを記録装置にて記録する場合、ＰＣでコピー許可回数を管理するとすると、記録装置においてデータの記録完了後、ＰＣにおいてコピー許可回数を更新し、１回分コピー許可回数を減らさなければならない。
【０００６】
また、記録装置は、通常、記録媒体にデータを記録した後、ＵＴＯＣエリアに、記録したデータに対応する識別情報を記録する。
【０００７】
【特許文献１】
特開２００１−２２２８６１号公報（２００１年８月１７日公開）
【０００８】
【発明が解決しようとする課題】
しかしながら、例えば、記録装置の電源回路に問題が発生した場合、停電が起こった場合、記録可能な温度をオーバーした場合等に、ＵＴＯＣエリアに識別情報を記録することができないことがある。
【０００９】
このような場合、再度、データの記録をやり直さなければならないにもかかわらず、コピー許可回数は、１回減少したままとなる。
【００１０】
従って、結果的には、記録媒体に記録できる（コピーできる）回数は、識別情報の記録ができなかった分、予め設定されたコピー許可回数よりも少なくなってしまう。
【００１１】
本発明は、上記の問題点に鑑みてなされたものであり、その目的は、データの記録後、そのデータに対応する識別情報の記録ができなかった場合にまで、コピー許可回数が減少することを防止できる記録管理装置および記録回数回復システム並びに記録回数回復方法を提供することにある。
【００１２】
【課題を解決するための手段】
本発明の記録管理装置は、上記の課題を解決するために、記録許可される許可回数が予め所定回数に制限されたデータを記録装置に送信する送信手段と、上記データの上記記録装置への送信完了ごとに更新される上記許可回数を記憶する記憶手段と、上記記憶手段に記憶されている上記許可回数が、上記送信完了ごとに１減るよう上記記憶手段を制御する減算手段とを備えた記録管理装置において、上記記録装置が上記送信手段から送信されたデータを記録媒体に記録した後、上記データおよび記録媒体に関する識別情報を上記記録媒体に記録できなかった場合に、上記記憶手段に記憶されている上記許可回数が１増えるよう上記記憶手段を制御する増加手段を備えることを特徴としている。
【００１３】
通常、トラック情報やレコーディング情報等の識別情報は、データの記録終了後に行われる。従って、例えば、記録装置の電源回路に問題が発生した場合、停電が起こった場合、記録可能な温度をオーバーした場合等、データの記録終了後に識別情報の記録が途中で停止するような問題が起こった場合、識別情報は、記録媒体に記録できないこととなる。
【００１４】
このような場合、データおよび識別情報を再度記録媒体に記録する必要があるが、許可回数は１減少したままとなる。これにより、記録媒体にデータを記録できる許可回数は、識別情報の記録ができなかった分、予め設定された所定回数よりも少なくなってしまう。
【００１５】
しかしながら、上記の構成によれば、記録管理装置において、データの送信完了後、減算手段により許可回数が１減算されたにもかかわらず、記録装置において、識別情報の記録ができなかったとしても、記録管理装置が増加手段を備えているため、データの送信完了後、一旦減少された許可回数を回復することができる。
【００１６】
従って、データの記録後、そのデータに対応する識別情報の記録ができなかった場合にまで、許可回数が減少することがなく、これにより、データを所定回数まで記録（コピー）可能とすることができる。
【００１７】
上記の記録管理装置は、許可回数が予め所定回数に制限されたデータを、外部データ記憶装置からネットワークを介して受信する受信手段を備えることが好ましい。
【００１８】
上記の構成によれば、外部データ記憶装置（例えば、サーバ）から、インターネット等のネットワークを介して、データを取得することができる。
【００１９】
本発明の記録回数回復システムは、上記の課題を解決するために、記録媒体に、データと該データおよび上記記録媒体に関する識別情報とを記録する記録装置と、上記記載の記録管理装置とを備えることを特徴としている。
【００２０】
具体的には、識別情報が、記録媒体のＵＴＯＣ（Ｕｓｅｒ  Ｔａｂｌｅ  ｏｆ  ｃｏｎｔｅｎｔｓ）領域に記録される情報であることが好ましい。
【００２１】
上記の構成によれば、データの送信完了後、一旦減少された許可回数が回復できる。従って、データの記録後、そのデータに対応する識別情報の記録ができなかった場合にまで、許可回数が減少することがなく、これにより、データを所定回数まで記録（コピー）することができる。
【００２２】
上記の記録回数回復システムは、記録装置は、識別情報が記録媒体に記録できなかった場合に、記憶されている許可回数を１増加させるよう記録管理装置に指示する回復指示手段を備えることが好ましい。
【００２３】
上記の構成によれば、データの送信完了後、記録管理装置において一旦減少された許可回数を回復させることができる。
【００２４】
上記の記録回数回復システムは、記録装置が、記録管理装置への指示の前に、識別情報を装置内から消去することが好ましい。
【００２５】
上記の構成によれば、記録媒体に記録はできていないにしても、記録装置の内部に発生している識別情報を消去することができる。従って、記録管理装置において記憶されている許可回数が回復したにもかかわらず、記録装置の内部に識別情報を保持しているという状態が起きないようにすることができる。
【００２６】
本発明の記録回数回復方法は、上記の課題を解決するために、記録許可される許可回数が予め所定回数に制限されたデータを記録装置に送信すると共に、送信完了後に上記許可回数を減算して更新した後、上記記録装置が記録媒体に上記データを記録した後に該データおよび記録媒体に関する識別情報を上記記録媒体に記録できなかった場合には、上記更新した上記許可回数を回復させることを特徴としている。
【００２７】
上記の方法によれば、データの記録後、そのデータに対応する識別情報の記録ができなかった場合にまで、許可回数が減少することがない。従って、データを所定回数まで記録（コピー）することができる。
【００２８】
上記の記録回数回復方法は、許可回数を回復させる前に、識別情報を記録装置から消去することが好ましい。
【００２９】
上記の方法によれば、記録媒体に記録はできていないにしても、記録装置の内部に発生している識別情報を消去することができる。従って、記憶されている許可回数が回復したにもかかわらず、記録装置の内部に識別情報を保持している状態となることを防止できる。
【００３０】
【発明の実施の形態】
本発明の実施の一形態について図１ないし図５に基づいて説明すれば、以下の通りである。
【００３１】
図１は、本実施の形態に係る記録システム（記録回数回復システム）７０の要部の構成を示す。同図に示すように、本記録システム７０は、記録装置３０とパーソナルコンピュータ（以下、ＰＣと称する）４０とを備えている。
【００３２】
記録システム７０は、インターネット等のネットワークを介してサーバ５０に接続されている。
【００３３】
サーバ（外部データ記憶装置）５０には、音楽や画像等のデータと、そのデータに関するコンテンツ情報とが格納されている。上記データはコンテンツとしてユーザに提供されるようになっている。即ち、サーバ５０は、ＰＣ４０からの要求に応じて、ネットワークを介してＰＣ４０に上記データおよび対応するコンテンツ情報を、ＰＣ４０が受信可能な形態で送信する。
【００３４】
また、サーバ５０に格納されているデータは、著作権保護の観点から、コピー許可回数（記録許可される許可回数）が所定回数に制限されている。このコピー許可回数は、ＰＣ４０において管理される。
【００３５】
なお、ここでコンテンツ情報とは、例えばファイルサイズ等、データを記録媒体に記録する際に必要となる情報のことをいう。即ち、記録装置３０は、コンテンツ情報を用いて、そのデータ（そのコンテンツ情報に対応するデータ（音楽データ））がディスクに記録可能か否かを判定することができる。また、以下、サーバ５０に格納されＰＣ４０に送信されるデータとして、音楽データを用いて説明する。
【００３６】
記録装置３０は、上記サーバ５０から取得したデータ（ここでは音楽データ）と、そのデータの識別情報とを、ディスク（記録媒体）の記録領域に記録する。
【００３７】
このディスクの記録領域とは、音楽データを記録するメイン情報記録エリアと、識別情報を記録するＵＴＯＣ（Ｕｓｅｒ  Ｔａｂｌｅ  ｏｆ  ｃｏｎｔｅｎｔｓ）エリア（ＵＴＯＣ領域）とを含んでいる。ＵＴＯＣエリアは、書き込みおよび書き替え可能な領域である。また、識別情報とは、例えば、メイン情報記録エリアに記録されるデータ（ここでは音楽データ）とディスク（記録媒体）とに関するトラック情報やレコーディング情報等のことをいう。
【００３８】
記録装置３０は、音声伸長・圧縮回路７およびシステムコントロール用マイクロコンピュータ（以下、システムコントロールマイコンと称する）９を備えている。
【００３９】
システムコントロールマイコン９は、受信したコンテンツ情報に基づき、記録装置３０においてディスクへの記録が可能か否かを判定する。そして、この判定結果（記録可否情報）を、後述するＰＣ４０のデータ送受信部４１に送信する。
【００４０】
音声伸長・圧縮回路７は、ＰＣ４０から、ディスクに記録するメインデータである音楽データ（データ）を受信する。
【００４１】
ＰＣ（記録管理装置）４０は、データ送受信部（送信手段）４１、情報記憶部（記憶手段、受信手段）４２、および、コピー許可回数制御部（減算手段、増加手段）４３を備えている。
【００４２】
情報記憶部４２は、サーバ５０から音楽データおよびコンテンツ情報を受信する。情報記憶部４２は、受信した音楽データおよびコンテンツ情報を記憶すると共に、データ送受信部４１に受信した音楽データおよびコンテンツ情報を入力する。また、情報記憶部４２は、受信した音楽データに対応するコピー許可回数を示す情報（残り許可回数データ）を記憶する。情報記憶部４２に記憶されている残り許可回数データは、コピー許可回数制御部４３により制御される。
【００４３】
なお、コピー許可回数は、ＰＣ４０の情報記憶部４２において予め設定（記憶）されているものであっても、サーバ５０から音楽データ等と共に取得するものであってもかまわない。
【００４４】
コピー許可回数制御部４３は、情報記憶部４２に記憶されている残り許可回数データを制御する。即ち、コピー許可回数制御部４３は、コピー許可回数を管理し、コピー許可回数の増減を制御する。
【００４５】
記録装置３０とＰＣ４０との間のデータの送受信は、データ送受信部４１を介して行われる。また、データ送受信部４１は、音楽データおよびコンテンツ情報の記録装置３０への送信タイミングを制御する。データ送受信部４１は、コピー許可回数の増減指示に関するデータ（音楽データ送信終了情報、または、記録装置３０から送られてきた書き込み異常情報）をコピー許可回数制御部４３に入力する。
【００４６】
即ち、コピー許可回数制御部４３に音楽データ送信終了情報（後述する図３のＦ１４参照）が入力された場合は、情報記憶部４２においてコピー許可回数は１減少し、また、記録装置３０から送られてきた書き込み異常情報（後述する図３のＦ１５参照）がコピー許可回数制御部４３に入力された場合は、情報記憶部４２においてコピー許可回数は１増加する。
【００４７】
以下、記録装置３０に記録する音楽データをＰＣ４０から送信する場合におけるＰＣ４０・記録装置３０間の応答について、図３を用いて説明する。ここで、記録装置に記録するための音楽データおよびコンテンツ情報については、すでにサーバ５０から情報記憶部４２に転送済みとする。
【００４８】
まず、ＰＣ４０から記録装置３０に送信するデータが、記録装置３０においてディスクに記録可能か否か調べるため、ＰＣ４０からコンテンツ情報を記録装置３０のシステムコントロールマイコン９に送信する（Ｆ１１）。
【００４９】
すると、システムコントロールマイコン９は、コンテンツ情報に含まれているファイルサイズ等の情報から、その音楽データがディスクに記録可能か否かを判定し、その判定結果（記録可否情報）をＰＣ４０のデータ送受信部４１に送信する（Ｆ１２）。
【００５０】
そして、その判定結果が記録可能であれば、ＰＣ４０はデータ送受信部４１から音楽データを音声伸長・圧縮回路７に送信する（Ｆ１３・Ｆ１４）。ここで、ＰＣ４０は、記録装置３０に音楽データの送信終了を通知する（Ｆ１４）と同時に、コピー許可回数制御部４３を介して情報記憶部４２に記憶されているコピー許可回数を１減らす。
【００５１】
一方、記録装置３０は、ＰＣ４０からの音楽データの受信およびディスクへの音楽データの記録が終了すれば、その後、ディスクのＵＴＯＣエリアに識別情報を記録する。
【００５２】
ところで、音楽データの記録終了後、識別情報の記録が終了する前に、識別情報の記録が途中で停止するような問題が起こる場合がある。例えば、記録装置３０の電源回路に問題が発生した場合、停電が起こった場合、記録可能な温度をオーバーした場合等である。
【００５３】
このような場合、ディスクに音楽データは記録したものの、その再生等に必要な識別情報が記録できないことととなる。
【００５４】
そこで、記録装置３０は、音楽データの記録終了後、識別情報の記録が完了したことを示す情報（書き込み正常データ）および完了できなかったことを示す情報（書き込み異常データ）のうちいずれかをＰＣ４０のデータ送受信部４１に送信する（Ｆ１５）。すると、ＰＣ４０のデータ送受信部４１は、受け取った書き込み正常／異常データをコピー許可回数制御部４３に送る。
【００５５】
識別情報の記録が完了しなかった（コピー許可回数制御部４３が書き込み異常データを受け取った）場合、コピー許可回数制御部４３は、コピー許可回数を回復させる。即ち、情報記憶部４２に記憶されているコピー許可回数を１増加させる。このとき、正常に書き込めなかった識別情報は、ディスクに記録できなかったとしても記録装置３０内には存在するため、記録装置３０において、正常に書き込めなかった識別情報を破棄（消去）する。
【００５６】
また、以下、コンテンツ情報を受信してから識別情報をディスクに記録するまでの記録装置の動作について、図４・図３を用いて説明する。
【００５７】
まず、記録装置３０のシステムコントロールマイコン９は、ＰＣ４０からコンテンツ情報を受信する（Ｓ１１）と、コンテンツ情報に基づいて、コンテンツ情報に対応するデータ（ここでは音楽データ）がディスクに記録か否か判定する（Ｓ１２）。
【００５８】
そして、記録可能であれば（Ｓ１２でＹＥＳ）、ＰＣ４０から音楽データを受信し、ディスクのメイン情報記録エリアに記録する（Ｓ１３、図３のＦ１４参照）。
【００５９】
その後、音楽データの記録が完了すると、ＵＴＯＣエリアに識別情報を記録する（書き込む）（Ｓ１４）。識別情報の記録が正常に完了すれば（Ｓ１５でＹＥＳ）、ＰＣ４０にその完了（書き込み正常）を通知する（Ｓ１８、図３のＦ１５参照）。
【００６０】
一方、識別情報の記録が正常に行われず、途中で終了してしまった場合等は、正常に記録されなかった識別情報を破棄（削除）すると共に、ＰＣ４０に、識別情報の記録が正常に行われなかったこと（書き込み異常）を通知する（Ｓ１７、図３のＦ１５参照）。
【００６１】
なお、音楽データを消去するには記録の際と同程度の時間がかかるため、識別情報を破棄する場合、ここでは、記録装置３０において、ディスクから音楽データの消去を行わないが、これに特に限定されるものではなく、例えば、識別情報を破棄する場合にはこれと共に、音楽データを消去してもかまわない。
【００６２】
また、ディスクのメイン情報記録エリアに記録するデータとしては、音楽データに限定されるものではなく、例えば、映像データや、音楽データと映像データとを含んだデータであってもかまわない。
【００６３】
ここで、記録装置３０への音楽データの送信終了後のＰＣ４０におけるコピー許可回数の制御について、図２・図３を用いて説明する。
【００６４】
ＰＣ４０のデータ送受信部４１は、音楽データの送信終了（Ｓ２１）を記録装置３０のシステムコントロールマイコン９に通知する（図３のＦ１４参照）と共に、その通知をコピー許可回数制御部４３に入力する。これにより、情報記憶部４２に記憶されているコピー許可回数は、１減少する（Ｓ２２）。
【００６５】
その後、データ送受信部４１に、記録装置３０から識別情報の書き込み正常についての通知（Ｓ２３でＹＥＳ）があれば、コピー許可回数はそのまま（Ｓ２２で１減少したまま）とする。
【００６６】
一方、記録装置３０から識別情報の書き込み異常についての通知（Ｓ２３でＮＯ）があれば、データ送受信部４１はその通知をコピー許可回数制御部４３に入力する。すると、コピー許可回数制御部４３は、情報記憶部４２におけるコピー許可回数が回復（１増加）するよう情報記憶部４２を制御する（Ｓ２４）。
【００６７】
以下、上述した記録装置として、ＭＤ（ミニディスク）装置（記録装置）の構成を、図５を用いて説明する。
【００６８】
同図に示すように、本ＭＤ装置は、ディスク（記録媒体）２０に対して情報の記録・再生を行う。ここで、ディスク２０は、書き換え可能な光磁気ディスクであり、データ記録領域としての音声データ記録領域に音声データ（音楽データ））が記録されている。
【００６９】
本ＭＤ装置は、光ピックアップ２、ＲＦアンプ３、エンコーダ・デコーダ・信号処理回路４、メモリコントローラ５、ショックプルーフメモリ６、音声伸長・圧縮回路７、および、Ｄ／Ａ・Ａ／Ｄコンバータ８を備えている。
【００７０】
光ピックアップ２は、ディスク２０に対してレーザ光を照射することにより、ディスク２０に記録されているデータを読み出し、またディスク２０に対して磁気ヘッド１６と共にデータを記録する。
【００７１】
ＲＦアンプ３は、光ピックアップ２により読み出された音声データを増幅すると共に、この音声データから、フォーカスエラー信号およびトラッキングエラー信号等のサーボ制御信号を生成する。
【００７２】
エンコーダ・デコーダ・信号処理回路４は、再生時、ＲＦアンプ３から入力された音声データを復調するとともに、誤り訂正等の信号処理を行う一方、記録時、メモリコントローラ５を経て入力した音声データに対して、誤り訂正符号の付加等の信号処理を行う。
【００７３】
メモリコントローラ５は、再生時、エンコーダ・デコーダ・信号処理回路４から入力された音声データをショックプルーフメモリ６に書き込む一方、このショックプルーフメモリ６に記憶されている音声データを読み出し、音声伸長・圧縮回路７に出力する。
【００７４】
また、メモリコントローラ５は、記録時、音声伸長・圧縮回路７から入力した音声データをショックプルーフメモリ６に書き込む一方、このショックプルーフメモリ６に記憶されている音声データを読み出し、エンコーダ・デコーダ・信号処理回路４に出力する。
【００７５】
ショックプルーフメモリ６は、再生時にエンコーダ・デコーダ・信号処理回路４で処理された音声データを一時的に記憶し、記録時に音声伸長・圧縮回路７の圧縮回路で処理された音声データを一時的に記憶するものである。
【００７６】
音声伸長・圧縮回路７は、音声伸長回路にて、ショックプルーフメモリ６から読み出された圧縮されている音声データを時間軸伸長する一方、音声圧縮回路にて、Ｄ／Ａ・Ａ／Ｄコンバータ８のＡ／Ｄコンバータから入力されたディジタル信号をＡＴＲＡＣ（Ａｄａｐｔｉｖｅ  Ｔｒａｎｓｆｏｒｍ  Ａｃｏｕｓｔｉｃ  Ｃｏｄｉｎｇ）と呼ばれるＭＤの情報圧縮技術により圧縮する。
【００７７】
Ｄ／Ａ・Ａ／Ｄコンバータ８は、Ｄ／Ａコンバータにて、音声伸長・圧縮回路７の音声伸長回路から入力された音声データをアナログ信号に変換して音声信号を生成し、音声出力端子１７に供給する一方、Ａ／Ｄコンバータにて、音声入力端子１８から入力されたアナログの音声信号をディジタル信号に変換して音声伸長・圧縮回路７の音声圧縮回路に供給する。
【００７８】
また、本ＭＤ装置は、システムコントロールマイコン９、サーボ回路１０、ドライバ回路１１、スピンドルモータ１２、送りモータ１３、電源ＯＮ／ＯＦＦ回路１４、ヘッド駆動回路１５、および、磁気ヘッド１６を備えている。
【００７９】
システムコントロールマイコン９は、エンコーダ・デコーダ・信号処理回路４、サーボ回路１０、メモリコントローラ５、および、電源ＯＮ／ＯＦＦ回路１４を制御する。
【００８０】
サーボ回路１０は、ＲＦアンプ３から入力されたサーボ制御信号とシステムコントロールマイコン９から入力されたコントロール信号とに基づいて、フォーカスサーボ、トラッキングサーボ、シークサーボおよびスピンサーボが行われるように、ドライバ回路１１を制御する。
【００８１】
ドライバ回路１１は、サーボ回路１０からのコントロール信号に基づいて、スピンドルモータ１２および送りモータ１３を駆動する。
【００８２】
スピンドルモータ１２は、ディスク２０を回転させるものである。送りモータ１３は、光ピックアップ２およびこの光ピックアップ２と例えば一体的に移動するように設けられた磁気ヘッド１６を、ディスク２０の半径方向へ移動させるものである。
【００８３】
ヘッド駆動回路１５は磁気ヘッド１６を駆動し、磁気ヘッド１６は光ピックアップ２と共にディスク２０への信号の記録を行うものである。
【００８４】
本ＭＤ装置において、ディスク２０に記録されている音声データの再生時には、スピンドルモータ１２によりディスク２０が回転駆動されると共に、送りモータ１３により光ピックアップ２がディスク２０の半径方向へ送られ、光ピックアップ２によりディスク２０に記録されている音声データが読み出される。この音声データは、ＲＦアンプ３により増幅されエンコーダ・デコーダ・信号処理回路４に出力される。
【００８５】
また、ＲＦアンプ３では、上記の音声データによりフォーカスエラー信号およびトラッキングエラー信号等のサーボ制御信号が生成され、サーボ回路１０は、ＲＦアンプ３から入力されたサーボ制御信号とシステムコントロールマイコン９から入力されたコントロール信号とに基づいて、フォーカスサーボ、トラッキングサーボおよびスピンドルモータ１２のサーボ等が行われるように、ドライバ回路１１を制御する。これにより、ドライバ回路１１にて光ピックアップ２、送りモータ１３およびスピンドルモータ１２が駆動される。
【００８６】
一方、ＲＦアンプ３から出力された音声データは、エンコーダ・デコーダ・信号処理回路４にて復調され、誤り訂正等の信号処理が行われて、メモリコントローラ５によりショックプルーフメモリ６に一旦書き込まれる。その後、上記の音声データは、メモリコントローラ５によりショックプルーフメモリ６から読み出され、音声伸長・圧縮回路７の音声伸長回路にて時間軸伸長される。この音声データは、Ｄ／Ａ・Ａ／Ｄコンバータ８のＤ／Ａコンバータにてアナログ信号に変換され、音声信号として出力端子１７から出力される。
【００８７】
また、ディスク２０への記録時には、音声入力端子１８から入力されたアナログの音声信号が、Ｄ／Ａ・Ａ／Ｄコンバータ８のＡ／Ｄコンバータにてディジタル信号に変換され、音声伸長・圧縮回路７の音声圧縮回路にて例えば約１／５にデータ圧縮される。この音声データは、メモリコントローラ５にてショックプルーフメモリ６に一旦書き込まれ、その後、メモリコントローラ５により読み出される。ショックプルーフメモリ６から読み出された音声データは、エンコーダ・デコーダ・信号処理回路４にて変調および誤り訂正用符号の付加等の処理が行われ、この信号に基づいて、ヘッド駆動回路１５により磁気ヘッド１６が駆動される。このとき同時に、磁気ヘッド１６の磁界が付与されているディスク２０の部位に光ピックアップ２から、再生時よりも大きい出力のレーザ光が照射される。これにより、音声データがディスク２０に記録される。
【００８８】
【発明の効果】
本発明の記録管理装置は、以上のように、記録装置がデータを記録媒体に記録した後、データおよび記録媒体に関する識別情報を記録媒体に記録できなかった場合に、記憶手段に記憶されている許可回数が１増えるよう記憶手段を制御する増加手段を備える構成である。
【００８９】
これにより、データの送信完了後、一旦減少された許可回数が回復できる。従って、データの記録後、そのデータに対応する識別情報の記録ができなかった場合にまで、許可回数が減少することがなく、データを所定回数まで記録することができるといった効果を奏する。
【００９０】
本発明の記録管理装置は、許可回数が予め所定回数に制限されたデータを、外部データ記憶装置からネットワークを介して受信する受信手段を備える構成である。
【００９１】
これにより、外部データ記憶装置から、インターネット等のネットワークを介して、データを取得することができるといった効果を奏する。
【００９２】
本発明の記録回数回復システムは、記録媒体に、データと該データおよび記録媒体に関する識別情報とを記録する記録装置と、上記記載の記録管理装置とを備える構成である。
【００９３】
具体的には、識別情報が、記録媒体のＵＴＯＣ（Ｕｓｅｒ  Ｔａｂｌｅ  ｏｆ  ｃｏｎｔｅｎｔｓ）領域に記録される情報である構成である。
【００９４】
これにより、データの送信完了後、一旦減少された許可回数が回復できる。従って、データの記録後、そのデータに対応する識別情報の記録ができなかった場合にまで、許可回数が減少することがなく、データを所定回数まで記録することができるといった効果を奏する。
【００９５】
本発明の記録回数回復システムは、記録装置は、識別情報が記録媒体に記録できなかった場合に、記憶されている許可回数を１増加させるよう記録管理装置に指示する回復指示手段を備える構成である。
【００９６】
これにより、データの送信完了後、一旦減少された許可回数を回復させることができるといった効果を奏する。
【００９７】
本発明の記録回数回復システムは、記録装置が、記録管理装置への指示の前に、識別情報を装置内から消去する構成である。
【００９８】
これにより、記録媒体に記録はできていないにしても、記録装置の内部に発生している識別情報を消去することができる。従って、記録装置のメモリの無駄な消費を防止できるといった効果を奏する。
【００９９】
本発明の記録回数回復方法は、以上のように、記録許可される許可回数が予め所定回数に制限されたデータを記録装置に送信すると共に、送信完了後に上記許可回数を減算して更新した後、上記記録装置が記録媒体に上記データを記録した後に該データおよび記録媒体に関する識別情報を上記記録媒体に記録できなかった場合には、上記更新した上記許可回数を回復させる構成である。
【０１００】
これにより、データの記録後、そのデータに対応する識別情報の記録ができなかった場合にまで、許可回数が減少することがない。従って、データを所定回数まで記録することができるといった効果を奏する。
【０１０１】
本発明の記録回数回復方法は、許可回数を回復させる前に、識別情報を記録装置から消去する構成である。
【０１０２】
これにより、記録媒体に記録はできていないにしても、記録装置の内部に発生している識別情報を消去することができる。従って、記憶されている許可回数が回復したにもかかわらず、記録装置の内部に識別情報を保持している状態となることを防止できるといった効果を奏する。
【図面の簡単な説明】
【図１】本発明の実施の一形態に係る記録システムの構成を示すブロック図である。
【図２】記録装置への音楽データの送信終了後のＰＣにおけるコピー許可回数の制御を示すフローチャートである。
【図３】記録装置に記録するデータをＰＣから送信する場合におけるＰＣと記録装置とＰＣとの応答を示す図である。
【図４】コンテンツ情報を受信してから識別情報をディスクに記録するまでの記録装置の動作を示すフローチャートである。
【図５】記録装置の構成を示すブロック図である。
【符号の説明】
９    システムコントロールマイコン（回復指示手段）
３０    記録装置
４０    ＰＣ（記録管理装置）
４１    データ送受信部（送信手段）
４２    情報記憶部（記憶手段、受信手段）
４３    コピー許可回数制御部（減算手段、増加手段）
５０    サーバ（外部データ記憶装置）
７０    記録システム（記録回数回復システム）
【図１】
2004246996.tif 000003
【図２】
2004246996.tif 000004
【図３】
2004246996.tif 000005
【図４】
2004246996.tif 000006
【図５】
2004246996.tif 000007